(57)【要約】ホーム・イボルブド・ノードＢ（ＨｅＮＢ）を備える無線ネットワーク内のデバイスの位置決めを可能にすることを容易にする方法および装置が提供される。ＨｅＮＢは、１または複数のデバイスからの位置測定値に少なくとも部分的に基づいて位置を決定しうる。ＨｅＮＢは、さらにまたは代替的に、位置またはその他の位置パラメータを、デバイス位置の決定のための支援情報としてその後プロビジョンするために、位置決めサーバに登録しうる。さらに、デバイスは、ＨｅＮＢが位置決めサーバに登録されていない場合、別の基地局に関連する支援情報を要求しうる。
2013516926.tif 000002
【特許請求の範囲】
【請求項１】
ホーム・イボルブド・ノードＢ（ＨｅＮＢ）の位置を決定するための方法であって、
ＨｅＮＢが通信する無線ネットワークにおける１または複数のデバイスによって測定された１または複数の位置測定値を受信することと、
前記１または複数の位置測定値に少なくとも部分的に基づいて、前記ＨｅＮＢの位置を決定することと、
を備える方法。
【請求項２】
前記１または複数のデバイスは、前記ＨｅＮＢにおいて共に配置されたネットワーク・リスニング・モジュールを含む、請求項１に記載の方法。
【請求項３】
バックホール・リンクを介して支援情報を受信することをさらに備え、
前記位置を決定することはさらに、前記支援情報に少なくとも部分的に基づく、請求項２に記載の方法。
【請求項４】
前記１または複数のデバイスは、有効通信範囲内のモバイル・デバイスを含む、請求項１に記載の方法。
【請求項５】
その後の位置決めを可能にするために、前記１または複数の位置測定値を、１または複数の位置パラメータとして、位置決めサーバに送信することをさらに備える、請求項１に記載の方法。
【請求項６】
前記位置に関連する１または複数のパラメータを、位置決めサーバへ送信することをさらに備える、請求項１に記載の方法。
【請求項７】
ホーム・イボルブド・ノードＢ（ＨｅＮＢ）位置を決定するための装置であって、
ＨｅＮＢが通信する無線ネットワークにおける１または複数のデバイスによって測定された１または複数の位置測定値を受信し、
前記１または複数の位置測定値に少なくとも部分的に基づいて、前記ＨｅＮＢの位置を決定する、
ように構成された少なくとも１つのプロセッサと、
前記少なくとも１つのプロセッサに接続されたメモリと、
を備える装置。
【請求項８】
前記１または複数のデバイスのうちの少なくとも１つは、前記ＨｅＮＢにおいて共に配置されたネットワーク・リスニング・モジュールである、請求項７に記載の装置。
【請求項９】
前記少なくとも１つのプロセッサはさらに、バックホール・リンクを介して支援情報を受信するように構成され、
前記少なくとも１つのプロセッサは、前記支援情報に少なくとも部分的に基づいて前記位置を決定する、請求項８に記載の装置。
【請求項１０】
前記１または複数のデバイスは、前記装置の有効通信範囲エリア内のモバイル・デバイスを含む、請求項７に記載の装置。
【請求項１１】
前記少なくとも１つのプロセッサはさらに、その後の位置決めを可能にするために、前記１または複数の位置測定値を、１または複数の位置パラメータとして、位置決めサーバに送信するように構成された、請求項７に記載の装置。
【請求項１２】
前記少なくとも１つのプロセッサはさらに、前記位置に関連する１または複数のパラメータを、位置決めサーバへ送信するように構成された、請求項７に記載の装置。
【請求項１３】
ホーム・イボルブド・ノードＢ（ＨｅＮＢ）の位置を決定するための装置であって、
ＨｅＮＢが通信する無線ネットワークにおける１または複数のデバイスによって測定された１または複数の位置測定値を受信する手段と、
前記１または複数の位置測定値に少なくとも部分的に基づいて、前記ＨｅＮＢの位置を決定する手段と、
を備える装置。
【請求項１４】
１または複数の基地局からダウンリンク信号を受信する手段をさらに備え、
前記１または複数のデバイスのうちの少なくとも１つは、前記ＨｅＮＢと共に配置された、前記ダウンリンク信号を受信する手段である、請求項１３に記載の装置。
【請求項１５】
前記決定する手段はさらに、バックホール・リンクを介して支援情報を受信し、さらに前記支援情報に少なくとも部分的に基づいて前記位置を決定する、請求項１４に記載の装置。
【請求項１６】
前記１または複数のデバイスは、有効通信範囲内のモバイル・デバイスを含む、請求項１３に記載の装置。
【請求項１７】
その後の位置決めを可能にするために、前記１または複数の位置測定値を、１または複数の位置パラメータとして、位置決めサーバに送信する手段をさらに備える、請求項１３に記載の装置。
【請求項１８】
前記位置に関連する１または複数のパラメータを、位置決めサーバへ送信する手段をさらに備える、請求項１３に記載の装置。
【請求項１９】
ホーム・イボルブド・ノードＢ（ＨｅＮＢ）の位置を決定するためのコンピュータ・プログラム製品であって、
少なくとも１つのコンピュータに対して、ＨｅＮＢが通信する無線ネットワークにおける１または複数のデバイスによって測定された１または複数の位置測定値を受信させるためのコードと、
前記少なくとも１つのコンピュータに対して、前記１または複数の位置測定値に少なくとも部分的に基づいて、前記ＨｅＮＢの位置を決定させるためのコードと、
を備えるコンピュータ読取可能な媒体、を備えるコンピュータ・プログラム製品。
【請求項２０】
前記１または複数のデバイスのうちの少なくとも１つは、前記ＨｅＮＢと共に配置されたネットワーク・リスニング・モジュールである、請求項１９に記載のコンピュータ・プログラム製品。
【請求項２１】
前記コンピュータ読取可能な媒体はさらに、前記少なくとも１つのコンピュータに対して、バックホール・リンクを介して支援情報を受信させるためのコードを備え、
前記少なくとも１つのコンピュータに対して、決定させるためのコードは、前記支援情報に少なくとも部分的に基づいて、前記位置を決定する、請求項２０に記載のコンピュータ・プログラム製品。
【請求項２２】
前記１または複数のデバイスは、有効通信範囲エリア内のモバイル・デバイスを含む、請求項１９に記載のコンピュータ・プログラム製品。
【請求項２３】
前記コンピュータ読取可能な媒体はさらに、前記少なくとも１つのコンピュータに対して、その後の位置決めを可能にするために、前記１または複数の位置測定値を、１または複数の位置パラメータとして、位置決めサーバに送信させるためのコードを備える、請求項１９に記載のコンピュータ・プログラム製品。
【請求項２４】
前記コンピュータ読取可能な媒体はさらに、前記少なくとも１つのコンピュータに対して、前記位置に関連する１または複数のパラメータを、位置決めサーバへ送信させるためのコードを備える、請求項１９に記載のコンピュータ・プログラム製品。
【請求項２５】
ホーム・イボルブド・ノードＢ（ＨｅＮＢ）の位置を決定するための装置であって、
ＨｅＮＢが通信する無線ネットワークにおける１または複数のデバイスによって測定された１または複数の位置測定値を取得するための位置測定値受信構成要素と、
前記１または複数の位置測定値に少なくとも部分的に基づいて、前記ＨｅＮＢの位置を計算するための位置決定構成要素と、
を備える装置。
【請求項２６】
１または複数の基地局からダウンリンク信号を受信するためのネットワーク・リスニング・モジュールをさらに備え、
前記１または複数のデバイスのうちの少なくとも１つは、前記ＨｅＮＢと共に配置された前記ネットワーク・リスニング・モジュールである、請求項２５に記載の装置。
【請求項２７】
前記位置決定構成要素はさらに、バックホール・リンクを介して支援情報を受信し、さらに前記支援情報に少なくとも部分的に基づいて、前記位置を決定する、請求項２６に記載の装置。
【請求項２８】
前記１または複数のデバイスは、有効通信範囲内のモバイル・デバイスを含む、請求項２５に記載の装置。
【請求項２９】
その後の位置決めを可能にするために、前記１または複数の位置測定値を、１または複数の位置パラメータとして、位置決めサーバに送信するための位置登録構成要素をさらに備える、請求項２５に記載の装置。
【請求項３０】
前記位置に関連する１または複数のパラメータを、位置決めサーバへ送信するための位置登録構成要素をさらに備える、請求項２５に記載の装置。
【請求項３１】
無線通信の方法であって、
位置決めする際に支援情報を利用するための、サービス提供ホーム・イボルブド・ノードＢ（ＨｅＮＢ）とは別の基地局を決定することと、
前記別の基地局に関連する支援情報を、前記サービス提供ＨｅＮＢまたは位置決めサーバから受信することと、
を備える方法。
【請求項３２】
前記別の基地局からの信号を検出することに少なくとも部分的に基づいて、前記別の基地局を検出することをさらに備える、請求項３１に記載の方法。
【請求項３３】
前記別の基地局が、以前に訪問した基地局であると判定することをさらに備える、請求項３１に記載の方法。
【請求項３４】
前記ＨｅＮＢから、前記別の基地局を示すインジケーションを受信することをさらに備える、請求項３１に記載の方法。
【請求項３５】
位置決めする際に支援情報を要求するための装置であって、
位置決めする際に支援情報を利用するための、サービス提供ホーム・イボルブド・ノードＢ（ＨｅＮＢ）とは別の基地局を決定し、
前記別の基地局に関連する支援情報を、前記サービス提供ＨｅＮＢまたは位置決めサーバから取得する
ように構成された少なくとも１つのプロセッサと、
前記少なくとも１つのプロセッサに接続されたメモリと、
を備える装置。
【請求項３６】
前記少なくとも１つのプロセッサはさらに、前記別の基地局の信号を受信するように構成された、請求項３５に記載の装置。
【請求項３７】
前記少なくとも１つのプロセッサはさらに、前記別の基地局は、以前に訪問した基地局であると判定するように構成された、請求項３５に記載の装置。
【請求項３８】
前記少なくとも１つのプロセッサはさらに、前記ＨｅＮＢから、前記別の基地局を示すインジケーションを受信するように構成された、請求項３５に記載の装置。
【請求項３９】
位置決めのための支援情報を要求するための装置であって、
位置決めする際に支援情報を利用するための、サービス提供ホーム・イボルブド・ノードＢ（ＨｅＮＢ）とは別の基地局を決定する手段と、
前記別の基地局に関連する支援情報を、前記サービス提供ＨｅＮＢまたは位置決めサーバから受信する手段と、
を備える装置。
【請求項４０】
前記決定する手段は、前記別の基地局から受信した１または複数の信号に少なくとも部分的に基づいて前記別の基地局を検出する、請求項３９に記載の装置。
【請求項４１】
前記決定する手段は、前記別の基地局が、以前に訪問した基地局であると判定する、請求項３９に記載の装置。
【請求項４２】
前記決定する手段はさらに、前記ＨｅＮＢから、前記別の基地局を示すインジケーションを受信する、請求項３９に記載の装置。
【請求項４３】
位置決めのための支援情報を要求するためのコンピュータ・プログラム製品であって、
少なくとも１つのコンピュータに対して、位置決めする際に支援情報を利用するための、サービス提供ホーム・イボルブド・ノードＢ（ＨｅＮＢ）とは別の基地局を決定させるためのコードと、
前記少なくとも１つのコンピュータに対して、前記別の基地局に関連する支援情報を、前記サービス提供ＨｅＮＢまたは位置決めサーバから取得させるためのコードと、
を備えるコンピュータ読取可能な媒体、を備えるコンピュータ・プログラム製品。
【請求項４４】
前記コンピュータ読取可能な媒体はさらに、前記少なくとも１つのコンピュータに対して、前記別の基地局の信号を受信させるためのコードを備える、請求項４３に記載のコンピュータ・プログラム製品。
【請求項４５】
前記コンピュータ読取可能な媒体はさらに、前記少なくとも１つのコンピュータに対して、前記別の基地局は、以前に訪問した基地局であると判定させるためのコードを備える、請求項４３に記載のコンピュータ・プログラム製品。
【請求項４６】
前記コンピュータ読取可能な媒体はさらに、前記少なくとも１つのコンピュータに対して、前記ＨｅＮＢから、前記別の基地局を示すインジケーションを受信させるためのコードを備える、請求項４３に記載のコンピュータ・プログラム製品。
【請求項４７】
位置決めするための支援情報を要求するための装置であって、
位置決めする際に支援情報を利用するための、サービス提供ホーム・イボルブド・ノードＢ（ＨｅＮＢ）とは別の基地局を決定するための近隣セル情報受信構成要素と、
前記別の基地局に関連する支援情報を、前記サービス提供ＨｅＮＢまたは位置決めサーバから受信するための支援情報受信構成要素と、
を備える装置。
【請求項４８】
前記近隣セル情報受信構成要素は、前記別の基地局から受信した１または複数の信号に少なくとも部分的に基づいて前記別の基地局を検出する、請求項４７に記載の装置。
【請求項４９】
前記近隣セル情報受信構成要素は、前記別の基地局を、以前に訪問した基地局であると判定する、請求項４７に記載の装置。
【請求項５０】
前記近隣セル情報受信構成要素は、前記ＨｅＮＢから、前記別の基地局を示すインジケーションを取得する、請求項４７に記載の装置。
【請求項５１】
無線通信の方法であって、
位置に関連する１または複数のパラメータを受信することと、
グローバル・セル識別子と前記１または複数のパラメータを、バックホール・リンクを介して、位置決めサーバに登録することと、
を備える方法。
【請求項５２】
少なくとも１つの近隣の基地局のマクロ・セル識別子を決定することをさらに備え、
前記１または複数のパラメータを登録することは、前記マクロ・セル識別子を登録することを含む、請求項５１に記載の方法。
【請求項５３】
前記マクロ・セル識別子を決定することは、前記マクロ・セル識別子を測定レポートで、デバイスから受信することを含む、請求項５２に記載の方法。
【請求項５４】
前記１または複数のパラメータを登録することは、コア・ネットワーク構成要素から受信した地理的エリアを登録することを含む、請求項５１に記載の方法。
【請求項５５】
前記地理的エリアは、郵便番号、郡、都市、州、または国である、請求項５４に記載の方法。
【請求項５６】
前記１または複数のパラメータを受信することは、位置決め誤差、送信電力、またはセル・サイズを受信することを含む請求項５１に記載の方法。
【請求項５７】
前記１または複数のパラメータを受信することは、当該ポイントを受信することを含む請求項５１に記載の方法。
【請求項５８】
前記１または複数のパラメータを受信することは、１または複数のデバイスから１または複数の決定された位置を受信することを含む、請求項５１に記載の方法。
【請求項５９】
位置決めサーバに登録するための装置であって、
位置に関連する１または複数のパラメータを決定し、
グローバル・セル識別子と前記１または複数のパラメータを、バックホール・リンクを介して、位置決めサーバに登録する
ように構成された少なくとも１つのプロセッサと、
前記少なくとも１つのプロセッサに接続されたメモリと、
を備える装置。
【請求項６０】
前記少なくとも１つのプロセッサはさらに、少なくとも１つの近隣の基地局のマクロ・セル識別子を決定するように構成され、
前記１または複数のパラメータは、前記マクロ・セル識別子を含む、請求項５９に記載の装置。
【請求項６１】
前記少なくとも１つのプロセッサはさらに、前記マクロ・セル識別子を測定レポートで、デバイスから受信するように構成された、請求項６０に記載の装置。
【請求項６２】
前記少なくとも１つのプロセッサは、コア・ネットワーク構成要素から地理的エリアを受信することに少なくとも部分的に基づいて前記１または複数のパラメータを決定する、請求項５９に記載の装置。
【請求項６３】
前記地理的エリアは、郵便番号、郡、都市、州、または国である、請求項６２に記載の装置。
【請求項６４】
前記１または複数のパラメータは、位置決め誤差、送信電力、またはセル・サイズに関連する、請求項５９に記載の装置。
【請求項６５】
前記１または複数のパラメータは、当該ポイントに関連する、請求項５９に記載の装置。
【請求項６６】
前記１または複数のパラメータは、デバイスから受信された、決定された位置に関連する、請求項５９に記載の装置。
【請求項６７】
位置決めサーバに登録するための装置であって、
位置に関連する１または複数のパラメータを受信する手段と、
グローバル・セル識別子と前記１または複数のパラメータを、バックホール・リンクを介して、位置決めサーバに登録する手段と、
を備える装置。
【請求項６８】
少なくとも１つの近隣の基地局のマクロ・セル識別子を決定する手段をさらに備え、
前記１または複数のパラメータは、前記マクロ・セル識別子を含む、請求項６７に記載の装置。
【請求項６９】
前記マクロ・セル識別子を決定する手段は、前記マクロ・セル識別子を測定レポートで、デバイスから受信する、請求項６８に記載の装置。
【請求項７０】
コア・ネットワーク構成要素から地理的エリアを受信する手段をさらに備え、
前記１または複数のパラメータは、前記地理的エリアに関連する、請求項６７に記載の装置。
【請求項７１】
前記地理的エリアは、郵便番号、郡、都市、州、または国である、請求項７０に記載の装置。
【請求項７２】
前記１または複数のパラメータは、位置決め誤差、送信電力、またはセル・サイズに関連する、請求項６７に記載の装置。
【請求項７３】
前記１または複数のパラメータは、当該ポイントに関連する、請求項６７に記載の装置。
【請求項７４】
前記１または複数のパラメータは、デバイスによって決定された位置に関連する、請求項６７に記載の装置。
【請求項７５】
位置決めサーバに登録するためのコンピュータ・プログラム製品であって、
少なくとも１つのコンピュータに対して、位置に関連する１または複数のパラメータを決定させるためのコードと、
前記少なくとも１つのコンピュータに対して、グローバル・セル識別子と前記１または複数のパラメータを、バックホール・リンクを介して、位置決めサーバに登録させるためのコードと、
を備えるコンピュータ読取可能な媒体、を備えるコンピュータ・プログラム製品。
【請求項７６】
前記コンピュータ読取可能な媒体はさらに、前記少なくとも１つのコンピュータに対して、少なくとも１つの近隣の基地局のマクロ・セル識別子を決定させるためのコードを備え、
前記１または複数のパラメータは、前記マクロ・セル識別子を含む、請求項７５に記載のコンピュータ・プログラム製品。
【請求項７７】
前記コンピュータ読取可能な媒体はさらに、前記少なくとも１つのコンピュータに対して、前記マクロ・セル識別子を測定レポートで、デバイスから受信させるためのコードを備える、請求項７６に記載のコンピュータ・プログラム製品。
【請求項７８】
前記少なくとも１つのコンピュータに対して決定させるためのコードは、コア・ネットワーク構成要素から地理的エリアを受信することに少なくとも部分的に基づいて前記１または複数のパラメータを決定する、請求項７５に記載のコンピュータ・プログラム製品。
【請求項７９】
前記地理的エリアは、郵便番号、郡、都市、州、または国である、請求項７８に記載のコンピュータ・プログラム製品。
【請求項８０】
前記１または複数のパラメータは、位置決め誤差、送信電力、またはセル・サイズに関連する、請求項７５に記載のコンピュータ・プログラム製品。
【請求項８１】
前記１または複数のパラメータは、当該ポイントに関連する、請求項７５に記載のコンピュータ・プログラム製品。
【請求項８２】
前記１または複数のパラメータは、１または複数のデバイスに関連する１または複数の位置に関連する、請求項７５に記載のコンピュータ・プログラム製品。
【請求項８３】
位置決めサーバに登録するための装置であって、
位置に関連する１または複数のパラメータを受信するための位置決定構成要素と、
グローバル・セル識別子と前記１または複数のパラメータを、バックホール・リンクを介して、位置決めサーバに登録するための位置登録構成要素と、
を備える装置。
【請求項８４】
少なくとも１つの近隣の基地局のマクロ・セル識別子を決定するためのネットワーク・リスニング・モジュール（ＮＬＭ）構成要素をさらに備え、
前記１または複数のパラメータは、前記マクロ・セル識別子を含む、請求項８３に記載の装置。
【請求項８５】
前記ＮＬＭ構成要素は、前記マクロ・セル識別子を、測定レポートで、デバイスから受信する、請求項８４に記載の装置。
【請求項８６】
前記位置決定構成要素は、コア・ネットワーク構成要素から地理的エリアを受信し、
前記１または複数のパラメータは、前記地理的エリアに関連する、請求項８３に記載の装置。
【請求項８７】
前記地理的エリアは、郵便番号、郡、都市、州、または国である、請求項８６に記載の装置。
【請求項８８】
前記１または複数のパラメータは、位置決め誤差、送信電力、またはセル・サイズに関連する、請求項８３に記載の装置。
【請求項８９】
前記１または複数のパラメータは、当該ポイントに関連する、請求項８３に記載の装置。
【請求項９０】
前記１または複数のパラメータは、デバイスによって決定された位置を備える、請求項８３に記載の装置。
【発明の詳細な説明】
【優先権主張】
【０００１】
本特許出願は、２０１０年１月８日に出願され本明細書の譲受人に譲渡され、本明細書において参照によって明確に組み込まれる「ホーム・イボルブド・ノードに接続されたユーザ機器の位置決めと、ホーム・イボルブド・ノードの自己位置決め」（POSITIONING OF USER EQUIPMENT CONNECTED TO HOME EVOLVED NODE Bs AND SELF-POSITIONING OF HOME EVOLVED NODE Bs）と題された仮出願６１／２９３，５９５号と、２０１０年１月１１日に出願され本明細書の譲受人に譲渡され、本明細書において参照によって明確に組み込まれる「ホーム・イボルブド・ノードＢ（ＨｅＮＢ）と、対応するユーザ機器との位置決めを可能にする方法および装置」（METHOD AND APPARATUS TO ENABLE POSITIONING OF HOME EVOLVED NodeBs (HeNBs) AND CORRESPONDING USER EQUIPMENT）と題された仮出願６１／２９４，０５０号に対する優先権を主張する。
【技術分野】
【０００２】
以下の説明は、一般に、無線ネットワーク通信に関し、さらに詳しくは、ホーム・イボルブド・ノードＢの位置決めに関する。
【背景技術】
【０００３】
無線通信システムは、例えば、音声、データ等のようなさまざまなタイプの通信コンテンツを提供するために広く開発された。一般的な無線通信システムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、例えば第３世代パートナシップ計画（３ＧＰＰ）、３ＧＰＰロング・ターム・イボリューション（ＬＴＥ）、ウルトラ・モバイル・ブロードバンド（ＵＭＢ）、イボリューション・データ・オプティマイズド（ＥＶ−ＤＯ）等のような仕様に準拠しうる。
【０００４】
一般に、無線多元接続通信システムは、複数のモバイル・デバイスのための通信を同時にサポートしうる。モバイル・デバイスはおのおのの、順方向リンクおよび逆方向リンクによる送信を介して１または複数の基地局と通信しうる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。さらに、モバイル・デバイスは、ピア・トゥ・ピア無線ネットワーク構成で、他のモバイル・デバイスと（および／または基地局が他の基地局と）通信しうる。
【０００５】
さらに、デバイスは、支援された全地球測位システム（ＧＰＳ）や、観察された到着時間差（ＯＴＤＯＡ：observed time difference of arrival）や、または、１または複数の基地局、エンハンスト・セル識別子（Ｅ−ＣＩＤ）等を含むその他の三角測量技術を利用することに少なくとも部分的に基づいて、位置を決定しうる。例えば、サービス提供モバイル・ロケーション・センタ（ＳＭＬＣ）、イボルブドＳＭＬＣ（ｅＳＭＬＣ）等のような位置決めサーバは、デバイスの位置を計算するために、このような測定を実行することを容易にするための支援情報を、デバイスに提供しうる。一例において、支援情報は、１または複数の基地局の位置（例えば、緯度／経度位置、地理的エリア、近隣セル、および関連情報等）に関連しうる。無線ネットワークは、１または複数のホーム・イボルブド・ノードＢ（ＨｅＮＢ）を含みうる。しかしながら、これは、無計画無に、実質的に任意の位置に配置されうる。さらに、例えば、位置決めサーバは、ＨｅＮＢのための位置決め情報を知らないかもしれない。これは、１または複数のデバイスにおける位置決めをできなくしうる。
【発明の概要】
【０００６】
以下は、１または複数の態様の基本的な理解を与えるために、このような態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００７】
１または複数の実施形態および対応する開示によれば、さまざまな態様が、ホーム・イボルブド・ノードＢ（ＨｅＮＢ）を含む無線ネットワークにおけるデバイスにおける位置決めを容易にすることに関して記載される。一例において、ＨｅＮＢは、ＨｅＮＢによってサービス提供されているものを含むか否かに関わらず、１または複数のデバイス、ＨｅＮＢにおけるネットワーク・リスニング・モジュール、および／または、その他からの位置測定値に少なくとも部分的に基づいて位置を決定しうる。さらに、この例または別の例では、ＨｅＮＢは、精度は粗いものの、決定された位置、または、位置に関連する１または複数の他のパラメータを、位置決めする際のデバイスによるその後の利用のために、位置決めサーバへ提供しうる。別の例では、ＨｅＮＢが位置決めサーバに登録されていない場合、デバイスは、位置決めサーバに対して、別の近隣セルの支援情報を提供するように要求しうる。例において、デバイスは、到来する信号を検出すること、以前に訪問したセルを判定すること、セルに関連するパラメータをＨｅＮＢから受信すること等、に少なくとも部分的に基づいて別の近隣セルを決定しうる。
【０００８】
例によれば、無線ネットワークにおける１または複数のデバイスによって測定された１または複数の位置測定値を受信することと、１または複数の位置測定値に少なくとも部分的に基づいて位置を決定することと、を含む、ＨｅＮＢの位置を決定する方法が提供される。
【０００９】
別の態様では、ＨｅＮＢが通信する無線ネットワークにおける１または複数のデバイスによって測定された１または複数の位置測定値を受信するための自立的なギャップを初期化し、１または複数の位置測定値に少なくとも部分的に基づいて、ＨｅＮＢの位置を決定する、ように構成された少なくとも１つのプロセッサを含む、ＨｅＮＢの位置を決定するための装置が提供される。さらに、この装置は、少なくとも１つのプロセッサに接続されたメモリを含む。
【００１０】
また別の態様では、ＨｅＮＢが通信する無線ネットワークにおける１または複数のデバイスによって測定された１または複数の位置測定値を受信する手段を含む、ＨｅＮＢの位置を決定するための装置が提供される。この装置はさらに、１または複数の位置測定値に少なくとも部分的に基づいて、ＨｅＮＢの位置を決定する手段、を含む。
【００１１】
また、別の態様では、少なくとも１つのコンピュータに対して、ＨｅＮＢが通信する無線ネットワークにおける１または複数のデバイスによって測定された１または複数の位置測定値を受信させるためのコードを有するコンピュータ読取可能な媒体を含む、ＨｅＮＢの位置を決定するためのコンピュータ・プログラム製品が提供される。このコンピュータ読取可能な媒体はさらに、少なくとも１つのコンピュータに対して、１または複数の位置測定値に少なくとも部分的に基づいて、ＨｅＮＢの位置を決定させるためのコードを含む。
【００１２】
さらに、態様では、ＨｅＮＢが通信する無線ネットワークにおける１または複数のデバイスによって測定された１または複数の位置測定値を取得するための位置測定値受信構成要素を含む、ＨｅＮＢのための位置を決定するための装置が提供される。この装置はさらに、１または複数の位置測定値に少なくとも部分的に基づいて、ＨｅＮＢの位置を計算するための位置決め構成要素を含む。
【００１３】
別の例によれば、位置決めする際に支援情報を利用するための別の基地局を、サービス提供ＨｅＮＢから決定することと、別の基地局に関連する支援情報を、サービス提供ＨｅＮＢまたは位置決めサーバから受信することと、を含む、無線通信の方法が提供される。
【００１４】
別の態様では、位置決めする際に支援情報を利用するための別の基地局を、サービス提供ＨｅＮＢから決定し、別の基地局に関連する支援情報を、サービス提供ＨｅＮＢまたは位置決めサーバから取得する、ように構成された少なくとも１つのプロセッサを含む、位置決めする際に支援情報を要求する装置が提供される。さらに、この装置は、少なくとも１つのプロセッサに接続されたメモリを含む。
【００１５】
また別の態様では、位置決めする際に支援情報を利用するための別の基地局を、サービス提供ＨｅＮＢから決定する手段を含む、位置決めのために支援情報を要求するための装置が提供される。この装置はさらに、別の基地局に関連する支援情報を、サービス提供ＨｅＮＢまたは位置決めサーバから受信する手段を含む。
【００１６】
また、別の態様では、少なくとも１つのコンピュータに対して、位置決めする際に支援情報を利用するための別の基地局を、サービス提供ＨｅＮＢから決定させるためのコードを有するコンピュータ読取可能な媒体を含む、位置決めのために支援情報を要求するためのコンピュータ・プログラム製品が提供される。このコンピュータ読取可能な媒体はさらに、少なくとも１つのコンピュータに対して、別の基地局に関連する支援情報を、サービス提供ＨｅＮＢまたは位置決めサーバから取得させるためのコードを含む。
【００１７】
さらに、態様では、位置決めする際に支援情報を利用するための別の基地局を、サービス提供ＨｅＮＢから決定するための近隣セル情報受信構成要を含む、位置決めのために支援情報を要求するための装置が提供される。この装置はさらに、別の基地局に関連する支援情報を、サービス提供ＨｅＮＢまたは位置決めサーバから受信するための支援情報受信構成要素を含む。
【００１８】
さらに別の例によれば、位置に関連する１または複数のパラメータを受信することと、グローバル・セル識別子と１または複数のパラメータを、バックホール・リンクを介して、位置決めサーバに登録することと、を含む、無線通信の方法が提供される、
別の態様では、位置に関連する１または複数のパラメータを決定し、グローバル・セル識別子と１または複数のパラメータを、バックホール・リンクを介して、位置決めサーバに登録する、ように構成された少なくとも１つのプロセッサを含む、位置決めサーバに登録するための装置が提供される。さらに、この装置は、少なくとも１つのプロセッサに接続されたメモリを含む。
【００１９】
また別の態様では、位置に関連する１または複数のパラメータを受信する手段を含む、位置決めサーバに登録するための装置が提供される。この装置はさらに、グローバル・セル識別子と１または複数のパラメータを、バックホール・リンクを介して、位置決めサーバに登録する手段を含む。
【００２０】
また、別の態様では、少なくとも１つのコンピュータに対して、位置に関連する１または複数のパラメータを決定させるためのコードを有するコンピュータ読取可能な媒体を含む、位置決めサーバに登録するためのコンピュータ・プログラム製品が提供される。このコンピュータ読取可能な媒体はさらに、少なくとも１つのコンピュータに対して、グローバル・セル識別子と１または複数のパラメータを、バックホール・リンクを介して、位置決めサーバに登録させるためのコードを含む。
【００２１】
さらに、態様では、位置に関連する１または複数のパラメータを受信するための位置決定構成要素を含む、位置決めサーバに登録するための装置が提供される。この装置はさらに、グローバル・セル識別子と１または複数のパラメータを、バックホール・リンクを介して、位置決めサーバに登録するための位置決め登録構成要素を含む。
【００２２】
前述した目的および関連する目的を達成するために、１または複数の実施形態は、後に十分に記載され、特許請求の範囲において特に指摘されている特徴を備える。以下の記載および添付図面は、１または複数の態様のある例示的な特徴を詳細に記載する。しかしながら、これらの特徴は、さまざまな態様の原理が適用されるさまざまな方式のうちの極く一部しか示しておらず、本説明は、このような態様およびこれらの均等物の全てを含むことが意図されている。
【図面の簡単な説明】
【００２３】
開示された態様は、以下において、同一符号が同一要素を示す添付図面と連携して説明され、開示された態様を、限定することなく、例示するために提供される。
【図１】図１は、ホーム・イボルブド・ノードＢ（ＨｅＮＢ）にデバイス位置決めを提供するためのシステムの例を例示する。
【図２】図２は、ＨｅＮＢの位置を決定するためのシステムの例を例示する。
【図３】図３は、ＨｅＮＢの位置を、位置決めサーバに登録するためのシステムの例を例示する。
【図４】図４は、デバイスの位置を決定するための支援情報を受信することを容易にするシステムの例を例示する。
【図５】図５は、受信した位置測定値に基づいて位置決めする方法の例を例示する。
【図６】図６は、サービス提供ＨｅＮＢとは別の基地局のための支援情報を要求する方法の例を例示する。
【図７】図７は、位置パラメータを位置決めサーバに登録するための方法の例を例示する。
【図８】図８は、位置決めのための支援情報を要求するモバイル・デバイスの例を例示する。
【図９】図９は、位置パラメータを決定することを容易にするシステムの例を例示する。
【図１０】図１０は、受信した位置測定値に基づいて位置を決定するためのシステムの例を例示する。
【図１１】図１１は、サービス提供ＨｅＮＢとは別の基地局のための支援情報を要求するシステムの例を例示する。
【図１２】図１２は、位置パラメータを位置決めサーバに登録するためのシステムの例を例示する。
【図１３】図１３は、本明細書に記載されたさまざまな態様にしたがう典型的な無線通信システムの例を例示する。
【図１４】図１４は、本明細書に記載されたさまざまなシステムおよび方法と共に適用されうる無線ネットワーク環境例を図示する。
【図１５】図１５は、多くのデバイスをサポートするように構成され、本明細書に記載された態様が実施される無線通信システム６００を例示する。
【図１６】図１６は、ネットワーク環境におけるフェムト・ノードの配置を可能にする典型的な通信システムを例示する。
【図１７】図１７は、定義されたいくつかのトラッキング・エリアを有する有効通信範囲マップの例を例示する。
【発明を実施するための形態】
【００２４】
さまざまな態様が、図面を参照して記載される。以下の記載では、説明の目的のために、１または複数の態様の完全な理解を提供するために、多くの具体的な詳細が述べられる。しかしながら、このような態様は、これら具体的な詳細無しで実現されうることが明確である。
【００２５】
本明細書でさらに記載されるように、１または複数のホーム・イボルブド・ノードＢ（ＨｅＮＢ）を適用する無線ネットワークのための位置決めが提供される。一例では、ＨｅＮＢが、１または複数のデバイスからの位置関連測定値に少なくとも部分的に基づいて、位置を決定しうる。この例では、あるいは、ＨｅＮＢが位置に関連する１または複数のパラメータを有する場合、ＨｅＮＢは、精度は粗いものの、位置または１または複数のパラメータを位置決めサーバに通信しうる。これによって、１または複数のデバイスは、その後、デバイスの位置を決定する際に、この位置または１または複数のパラメータを利用できるようになる。さらに、例において、位置決めサーバに登録されていないＨｅＮＢによってサービス提供されているデバイスは、位置決めサーバに対して、１または複数の近隣セル（例えば、デバイスにおいて聞くことができるセル、および／または、以前に訪問したセル）の支援情報を提供するように要求しうる。さらに、例えば、ＨｅＮＢは、位置決めをするため、あるいは、支援情報を要求するために、近隣セル情報の少なくとも一部をデバイスにプロビジョンしうる。したがって、デバイスは、ＨｅＮＢを備えたネットワークにおける位置決めを実行しうる。
【００２６】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されうるか、および／または、２つ以上のコンピュータに分散されうる。さらに、これらの構成要素は、さまざまなデータ構造を格納したさまざまなコンピュータ読取可能な媒体から実行しうる。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信しうる。
【００２７】
さらに、本明細書では、さまざまな態様が、有線端末または無線端末でありうる端末と関連して開示される。端末は、システム、デバイス、加入者ユニット、加入者局、移動局、モバイル、モバイル・デバイス、遠隔局、遠隔端末、アクセス端末、ユーザ端末、端末、通信デバイス、ユーザ・エージェント、ユーザ・デバイス、またはユーザ機器（ＵＥ）とも称されうる。無線端末は、セルラ電話、衛星電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイス、あるいは、無線モデムに接続されたその他の処理デバイスでありうる。さらに、本明細書では、さまざまな態様が、基地局に関して記載される。基地局は、無線端末との通信のために利用され、アクセス・ポイント、ノードＢ、イボルブド・ノードＢ（ｅＮＢ）、あるいはその他いくつかの用語で称されうる。
【００２８】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する、あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２９】
本明細書に記述された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用される。「システム」、「ネットワーク」という用語はしばしば置換可能に使用される。ＣＤＭＡネットワークは、例えば、ユニバーサル地上ラジオ・アクセス（ＵＴＲＡ）、ｃｄｍａ２０００等のようなラジオ技術を実現することができる。ＵＴＲＡは、広帯域ＣＤＭＡ（Ｗ−ＣＤＭＡ）およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画」（３ＧＰＰ）と命名された組織からの文書に記述されている。さらに、ｃｄｍａ２０００およびＵＭＢは、「第３世代パートナシップ計画２」（３ＧＰＰ２）と命名された組織からの文書に記述されている。さらに、このような無線通信システムは、しばしばアンペア（ｕｎｐａｉｒｅｄ）な無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００３０】
さまざまな態様または特徴が、多くのデバイス、構成要素、モジュールなどを含むシステムの観点から示されるだろう。さまざまなシステムが、追加のデバイス、構成要素、モジュール等を含むことができるか、および／または、図面に関連して説明されたデバイス、構成要素、モジュール等の必ずしも全てを含んでいる訳ではないことが理解され、認識されるべきである。これらアプローチの組み合わせもまた使用されうる。
【００３１】
図１を参照して、ＨｅＮＢを適用するネットワークにおいて、位置決めを容易にする無線通信システム１００が例示される。システム１００は、例えばデバイス１０４のような１または複数のデバイスへのネットワーク・アクセスを提供しうるＨｅＮＢ１０２を含む。ＨｅＮＢ１０２はさらに、位置決め支援情報をデバイス１０４へ提供するために、位置決めサーバ１０６と少なくとも部分的に通信しうる。さらに、システム１００は、ＨｅＮＢ１０２および／またはデバイス１０４の近隣の基地局１０８を含む。１つの例において、ＨｅＮＢ１０２は、基地局１０８のセル内にネットワーク・アクセスを提供しうる。ＨｅＮＢ１０２は、フェムト・セル、ピコ・セル、あるいは実質的に任意の場所（例えば、自宅または会社）、この一部等に配置可能な、マクロ・セル基地局よりも小規模な類似の基地局でありえる。例えば、ＨｅＮＢ１０２は、デバイス１０４および／または１または複数のさらなるデバイスへの無線アクセスを提供しながら、位置決めサーバ１０６を含みうる（図示しない）コア無線ネットワークと通信するために、ブロードバンド・インターネット・バックホールを利用しうる。無線デバイス１０４は、ＵＥ、モデム（または、その他のテザー・デバイス）、これらの一部、および／または、無線ネットワークへのアクセスを受け取るためにＨｅＮＢ１０２と通信しうる実質的に任意のデバイスでありうる。基地局１０８は、マクロ・セル基地局、ＨｅＮＢ、リレー・ノード、モバイル基地局、ピア・トゥ・ピア・モードで通信するデバイス、これらの一部等でありうる。
【００３２】
例によれば、デバイス１０４は、（例えば、支援された全地球測位システム（Ａ−ＧＰＳ）またはその他の全地球型衛星航法システム（ＧＮＳＳ）、観察された到着時間差（ＯＴＤＯＡ）またはその他の三角測量／三辺測量術技術、エンハンスト・セル識別子（Ｅ−ＣＩＤ）、および／またはその他を用いて）その位置を測定しうる。例えば、上記の技術は、測定すること、あるいは、例えば基地局１０８のような１または複数の基地局から信号を受信することに少なくとも部分的に基づいて実行されうる。記載されるように、デバイス１０４は、（例えば、デバイス１０４が通信するＨｅＮＢ１０２を介して）このような測定を実行するために、位置決めサーバ１０６から（例えば、１または複数の基地局の位置のような）支援情報を受信しうる。一例では、デバイス１０４はさらに、ＨｅＮＢ１０２の支援情報を、位置決めサーバ１０６から受信し、位置決めのためにＨｅＮＢ１０２信号をも測定しうる。
【００３３】
この例では、ＨｅＮＢ１０２は、グローバル・セル識別子および／または類似のパラメータとともに、地理的位置パラメータまたは位置に関連するその他のパラメータを提供する位置決めサーバ１０６に登録しうる。例えば、地理的位置は、例えば、本明細書に記載するように、ＨｅＮＢ１０２によって決定された位置、近隣マクロ・セルの識別子、ＧＰＳシステムにおける当該ポイント（例えば、住所、郵便番号、都市、群、州（state)、州（province）、国、店名/住所等）実質的に任意の位置データまたは関連するパラメータ等でありうる。一例では、ＨｅＮＢ１０２は、ＨｅＮＢ管理システム（ＨｅＭＳ）、または、ＨｅＮＢ１０２が通信し、計画された配置および／または地理的関連付けを有する別のノードから、地理的位置を取得しうる。別の例では、ＨｅＮＢ１０２の位置またはパラメータは、１または複数の近隣セルまたは関連する基地局の位置でありうる。また別の例では、位置に関連付けられた１または複数のパラメータは、位置ではなく、近隣セルまたは関連する基地局の識別子、ＨｅＮＢ１０２の位置決め誤差、ＨｅＮＢ１０２の送信電力、ＨｅＮＢ１０２のセル・サイズ等を含みうる。
【００３４】
例において、ＨｅＮＢ１０２は、１または複数のデバイスから、位置測定値または計算された位置を（例えば、測定レポートで、または、測定値を要求することに基づいて）受信することに少なくとも部分的に基づいて、地理的位置を計算しうる。一例では、デバイス１０４は、前述したように、位置測定値または計算された位置をＨｅＮＢ１０２へ提供しうる。そして、ＨｅＮＢ１０２は、位置測定値または計算された位置に少なくとも部分的に基づいて（例えば、本明細書で記載したように、デバイスと類似の位置決め技術を用いて）、おおよその位置を決定しうる。別の例では、ＨｅＮＢ１０２は、ネットワーク・リスニング・モジュール（ＮＬＭ）を備えうるか、あるいは、上述したようなデバイス１０４に類似の位置決め測定を実行しうる、ＨｅＮＢ１０２と共に配置された類似のＵＥタイプのデバイスを備えうる。
【００３５】
さらに、また別の例では、ＨｅＮＢ１０２は、位置決めサーバ１０６に登録されない場合がありうる。例えば、デバイス１０４がＨｅＮＢ１０２に接続されている場合、デバイス１０４は、近隣セルまたは、例えば基地局１０８のような関連する基地局に関連する位置決めサーバ１０６から、支援情報を提供されうる。例えば、デバイス１０４は、基地局１０８から１または複数の信号を検出すること、基地局１０８が以前に訪問した基地局であると判定すること、等に少なくとも部分的に基づいて、基地局１０８に支援情報を要求することを決定しうる。別の例では、位置決めサーバ１０６が、デバイスのサービス提供基地局１０２を識別することに少なくとも部分的に基づいて、近隣セルまたは関連する基地局に関連する支援情報を提供しうる。一例において、ＨｅＮＢ１０２は、近隣セル、または、例えば基地局１０８のような関連する基地局に関連する（例えば、基地局１０８のマクロ・セル識別子のような支援情報、基地局１０８の位置のような支援情報等を決定するためのパラメータのうちの少なくとも１つのような）情報をデバイス１０４へプロビジョンしうる。
【００３６】
図２に移って、ＨｅＮＢの位置を決定することを容易にする無線通信システム２００の例が例示される。システム２００は、ＨｅＮＢ２０２を含みうる。これは、記載されているように、例えばデバイス２０４のような１または複数のデバイスに、コア無線ネットワークへのアクセスを提供しうる。さらに、ＨｅＮＢ２０２は、デバイス２０４が位置決めできるようにするための支援情報を取得するために、位置決めサーバ２０６と通信しうる。記載されているように、ＨｅＮＢ２０２は、フェムト・セル、ピコ・セル、または類似の基地局でありうる。デバイス２０４は、ＵＥ、モデム等でありうる。位置決めサーバ２０６は、ｅＳＭＬＣまたはその他のコア・ネットワーク構成要素等でありうる。
【００３７】
ＨｅＮＢ２０２は、無線ネットワークにおける（図示しない）１または複数の基地局から、ダウンリンク信号を受信するためのオプションのＮＬＭ構成要素２０８と、１または複数のデバイスから、１または複数の位置測定値を取得するための位置測定値受信構成要素２１０とを備えうる。ＨｅＮＢ２０２はまた、（例えば、１または複数の位置測定値に少なくとも部分的に基づいて）ＨｅＮＢ２０２の位置を検索または計算するための位置決め構成要素２１２と、ＨｅＮＢ２０２の位置を位置決めサーバ２０６に通信するための位置登録構成要素２１４とを備えうる。
【００３８】
例によれば、ＨｅＮＢ２０２は、ＨｅＮＢ２０２の有効通信範囲エリア内の１または複数のデバイスによる１または複数の位置測定値に少なくも部分的に基づいて、自己の位置を決定しうる。一例では、デバイス２０４は、（図示しない）１または複数の基地局に少なくとも部分的に基づいて、位置決め測定を実行しうる。例えば、記載されるように、デバイス２０４は、無線ネットワークにおける位置測定値を計算するために、Ａ−ＧＰＳ、Ａ−ＧＮＳＳ、ＯＴＤＯＡ、Ｅ−ＣＩＤまたは類似の位置決め技術を利用しうる。さらに、位置測定値は、１または複数の位置決め技術、位置を決定するためのパラメータ（例えば、１または複数の近隣基地局の信号強度、１または複数の近隣基地局の位置等）等にしたがって決定された位置に関連しうる。さらに別の例では、１または複数の位置測定値は、デバイス２０４のＧＰＳ受信機によって決定されたＧＰＳ位置でありうる。デバイス２０４は、この例では、ＨｅＮＢ２０２に位置測定値を提供しうる。そして、位置測定値受信構成要素２１０は、この位置測定値を取得しうる。この例では、位置決め構成要素２１２は、受信した位置測定値に少なくとも部分的に基づいてＨｅＮＢ２０２の位置を計算しうる。さらに、例えば、ＨｅＮＢは、サービス提供デバイス２０４であることも、ないこともありえることが認識されるべきである。
【００３９】
一例では、例えば、位置測定値が、近隣基地局の位置および信号強度に関連している場合、位置決め構成要素２１２は、例えばデバイス２０４のような１または複数のデバイスの位置測定値を収集しうる。そして、この位置測定値に少なくとも部分的に基づいて、ＨｅＮＢ２０２の位置を決定しうる。この点に関し、例えば、位置測定値受信構成要素２１０は、デバイス２０４から位置測定値を受信するために、（例えばＵＭＴＳにおいて定義されたような）位置決めサービス（ＬＣＳ）クライアントに類似の機能を実行しうる。別の例では、位置決め構成要素２１２は、例えばデバイス２０４のようなおのおののデバイスの位置を、位置測定値に基づいて決定しうる。そして、（例えば、デバイス２０４のようなデバイスの経路喪失、信号強度等にさらに基づき三角測量／三辺測量術を用いて）ＨｅＮＢ２０２の位置を決定するために、この位置を利用しうる。さらに別の例では、記載するように、この位置測定値は、例えばデバイス２０４のような１または複数のデバイスによって計算された位置に関連しうる。そして、位置決め構成要素２１２は、この位置に基づいて位置を決定しうる。
【００４０】
さらなる例または代替例では、ＮＬＭ構成要素２０８が、同様に、１または複数の近隣セルまたは関連する基地局から受信した信号に少なくとも部分的に基づいて、Ａ−ＧＰＳ、Ａ−ＧＮＳＳ、ＯＴＤＯＡ、Ｅ−ＣＩＤ、あるいは類似の位置決め技術を実行しうる。一例において、例えば、ＮＬＭ構成要素２０８はダウンリンク信号のみしか受信しないので、位置決め構成要素２１２が、１または複数の近隣セルの支援情報を、（図示しない）コア・ネットワークを備えたバックホール・リンクを介して取得しうることが認識されるべきである。何れの場合も、位置決め構成要素２１２は、ＨｅＮＢ２０２の位置を計算する際に、ＮＬＭ構成要素２０８からの位置測定値を（例えば、単独で、あるいは、デバイス２０４または１または複数の他のデバイスからの測定値と連携して）利用しうる。さらに、例において、位置登録構成要素２１４は、ＨｅＮＢ２０２の位置または関連する情報を、位置決めサーバ２０６へ送信しうる。一例において、位置登録構成要素２１４は、位置測定値を、グローバル・セル識別子をとともに位置決めサーバ２０６に通信しうる。以下にさらに詳しく説明するように、位置決めサーバ２０６は、本明細書に記載されるように、デバイス２０４の位置を決定することを容易にするために、ＨｅＮＢ２０２のための支援情報として、位置を、ＨｅＮＢ２０２のグローバル・セル識別子または類似の情報とともにデバイス２０４へ通信しうる。
【００４１】
図３を参照して、位置決めサーバに登録することを容易にする無線通信システム３００の例が例示されている。システム３００は、オプションとして、無線ネットワークへのアクセスを提供するために、例えばデバイス３０４のような１または複数のデバイスと通信しうる。システム３００はさらに、記載するように、位置を計算するために、１または複数の基地局または関連するセルに関連する支援情報を提供しうる。さらに、ＨｅＮＢ３０２は、オプションとして、無線ネットワークへのアクセスを受信するために、ＨｅＭＳ３０８と通信しうる。記載しているように、ＨｅＮＢ３０２は、フェムト・セル、ピコ・セル、または類似の基地局でありうる。デバイス３０４は、ＵＥ、モデム等でありうる。位置決めサーバ３０６は、ｅＳＭＬＣ等でありうる。
【００４２】
ＨｅＮＢ３０２は、１または複数の近隣基地局からの信号を測定するための、オプションのＮＬＭ構成要素３１０と、ＨｅＮＢ３０２の位置を取得するための位置決め構成要素３１２と、位置および／または関連する情報を位置決めサーバ３０６に通信するための位置登録構成要素３１４とを備える。デバイス３０４は、オプションとして、ＨｅＮＢまたは１または複数の他の基地局（図示せず）に関連する支援情報を取得する支援情報受信構成要素３１６と、支援情報を求める要求を位置決めサーバに送信しうる支援情報要求構成要素３１８とを備えうる。さらに、位置決めサーバ３０６は、ＨｅＮＢを、登録に少なくとも部分的に基づいて、位置または関連するパラメータに関連付けるＨｅＮＢ登録構成要素３２０と、１または複数のデバイスからの要求に基づいて、支援情報を決定および提供する支援情報提供構成要素３２２とを備えうる。
【００４３】
例によれば、位置決め構成要素３１２は、ＨｅＮＢ３０２の位置に関連する１または複数のパラメータを区別しうる。１または複数のパラメータは、精度が変動する位置に関連しうる。したがって、ＨｅＮＢ３０２の緯度／経度位置、近隣マクロ・セル基地局の識別子（例えば、マクロ・セル識別子）、ＧＰＳシステムにおける当該ポイント（例えば、住所、郵便番号、都市、郡、州、店名／住所等）、相対位置等を含みうる。例えば、位置決め構成要素３１２は、既に記載したように、（例えば、１または複数のデバイスからの位置測定値に基づいて）位置を計算し、ＨｅＮＢ３０２の設定から位置を受信し、（例えば、計画された配置、または、ＨｅＭＳ３０８等のようなその他の地理的関連付けを用いて）１または複数のネットワーク・ノードから位置を検索し、デバイスから位置を受信する等を行いうる。何れの場合も、位置決め構成要素３１４は、例えば、位置、または、位置に関連する１または複数のパラメータを、ＨｅＮＢ３０２のグローバル・セル識別子とともに、位置決めサーバ３０６に登録しうる。この例では、ＨｅＮＢ登録構成要素３２０は、位置または１または複数のパラメータおよびグローバル・セル識別子を受信しうる。そして、ＨｅＮＢ３０２のための支援情報を格納しうる。
【００４４】
この点に関して、例えば、支援情報要求構成要素３１８は、ＨｅＮＢ３０２に関連する支援情報を求める要求を位置決めサーバ３０６へ送信し、支援情報提供構成要素３２２は、ＨｅＮＢ３０２のために登録された１または複数のパラメータを返信し、支援情報受信構成要素３１６は、１または複数のパラメータを取得しうる。前述したように、デバイス３０４は、その後、１または複数のパラメータに少なくとも部分的に基づいて、位置を決定しうる。別の例では、位置登録構成要素３１４は、１または複数のデバイスから受信した１または複数の位置測定値を、位置決めサーバ３０６へ提供し、ＨｅＮＢ登録構成要素３２０は、位置測定値に少なくとも部分的に基づいて、ＨｅＮＢ３０２の位置を計算し、計算された位置を、グローバル・セル識別子とともに、支援情報として格納しうる。
【００４５】
１つの具体的な例では、ＮＬＭ構成要素３１０が、（例えば、マクロ・セル識別子のような）１または複数の近隣セルの１または複数の識別子を決定し、位置決め構成要素３１２が、この位置を、１または複数の識別子に関連付けうる。別の例において、位置決め構成要素３１２は、ＮＬＭ構成要素３１０、デバイス３０４等を含む１または複数のデバイスから、（例えば、測定レポートで）１または複数の識別子を受信し、１または複数の識別子を判定するために、近隣の基地局からの信号を聞く。したがって、この例では、位置登録構成要素３１４は、１または複数の識別子を、ＨｅＮＢ３０２のグローバル・セル識別子とともに位置決めサーバ３０６へ提供しうる。ＨｅＮＢ登録構成要素３２０は、ＨｅＮＢ３０２の支援情報として格納するために、１または複数の識別子およびグローバル・セル識別子を受信しうる。したがって、一例において記載されているように、支援情報提供構成要素３２２は、１または複数の識別子を、ＨｅＮＢ３０２のための支援情報として提供しうる。
【００４６】
この例では、支援情報要求構成要素３１８は、その後、ＨｅＮＢ３０２のための支援情報を求める要求を、位置決めサーバ３０６へ送信し、支援情報提供構成要素３２２は、１または複数の近隣セルの１または複数の識別子を返信しうる。この点に関し、支援情報受信構成要素３１６は、１または複数の識別子を取得しうる。そして、支援情報要求構成要素３１８は、位置決めサーバ３０６から、１または複数の近隣セル識別子の支援情報を要求しうる。別の例では、ＨｅＮＢ３０２の支援情報を求める要求を位置決めサーバ３０６が受信すると、支援情報提供構成要素３２２は、ＨｅＮＢ３０２に関連付けられた支援情報が、１または複数の近隣セル識別子に対応していると判定し、代わりに、１または複数の近隣セルの支援情報を返信しうる。また別の例では、ＨｅＮＢ登録構成要素３２０は、１または複数の近隣セルの１または複数の識別子を備える登録要求をＨｅＮＢ３０２から受信すると、１または複数の近隣セルの支援情報を格納しうる。
【００４７】
別の例では、位置決め構成要素３１２は、例えばＨｅＭＳ３０８のような１または複数の計画されたネットワーク・ノードにしたがって位置を決定しうる。この例では、位置決め構成要素３１２は、例えば郵便番号、都市、郡、州、国、住所、当該ポイント等のようなＨｅＭＳ３０８の位置を受信または決定しうる。何れの場合も、記載したように、位置登録構成要素３１４は、位置を（例えば、グローバル・セル識別子とともに）、その後のプロビジョニングのために、支援情報として位置決めサーバ３０６へ提供しうる。そして、ＨｅＮＢ登録構成要素３２０は、位置を、ＨｅＮＢ３０２の支援情報として格納しうる。さらに、位置決め構成要素３１２は、ＨｅＮＢ３０２の位置決め誤差、送信電力、セル・サイズ等を区別しうる。位置登録構成要素３１４は、さらに、１または複数のデバイスによる位置決めのための支援情報としてその後使用されるために、これらパラメータのうちの１または複数を位置決めサーバ３０６へプロビジョンしうる。一例では、位置決め構成要素３１２は、設定、仕様、ハードコーディング等から、位置決め誤差を取得しうる。別の例では、位置決め構成要素３１２は、ＮＬＭ構成要素３１０によって位置が決定される基地局の数、位置決めパラメータが受信されるデバイスの数等に少なくとも部分的に基づいて、位置決め誤差を計算しうる。
【００４８】
図４に移って、未登録のＨｅＮＢと通信している場合における位置決めを可能にする無線通信システム４００の例が例示されている。システム４００は、ＨｅＮＢ４０２を含む。これは、記載されているように、例えばデバイス４０４のようは１または複数のデバイスへ無線ネットワーク・アクセスを提供しうる。システム４００はまた、記載されているように、位置決めのための支援情報を提供するための位置決めサーバ４０６を含む。さらに、記載されているように、ＨｅＮＢ４０２は、フェムト・セル、ピコ・セル等でありうる。デバイス４０４は、ＵＥ、モデム等でありうる。位置決めサーバ４０６は、ｅＳＭＬＣであるか、あるいは、１または複数の基地局または関連するセルに関連する支援情報を提供する類似のコア・ネットワーク構成要素でありうる。
【００４９】
ＨｅＮＢ４０２は、位置決めを容易にするために、１または複数の近隣セルに関連する１または複数のパラメータをデバイスへ提供する近隣セル情報プロビジョニング構成要素４０８を備える。デバイス４０４は、１または複数の近隣セルに関連する支援情報を取得する支援情報決定構成要素４１０と、１または複数の近隣セルに関連する１または複数のパラメータを取得する近隣セル情報受信構成要素４１２と、１または複数のパラメータに少なくとも部分的に基づいて１または複数の位置測定値を決定する、オプションの位置測定構成要素４１４とを備える。
【００５０】
例によれば、デバイス４０４は、無線ネットワークにアクセスするためにＨｅＮＢ４０２と通信しうる。したがって、ＨｅＮＢ４０２は、デバイス４０４に対するサービス提供ＨｅＮＢでありうる。デバイス４０４はさらに、既に記載されたように、例えばＡ−ＧＰＳ、ＯＴＤＯＡ、Ｅ−ＣＩＤ等のような１または複数の位置決め技術を用いて位置を決定しうる。この点に関し、支援情報決定構成要素４１０は、記載されているように、支援情報を求める要求を位置決めサーバ４０６に送信しうる。一例では、支援情報決定構成要素４１０は、支援情報を求める要求を送信しうる。位置決めサーバ４０６は、このような支援情報を有していないこと、または、サービス提供ＨｅＮＢ４０２が位置決めサーバ４０６に登録されていないこと、を示すインジケーションを返信しうる。
【００５１】
例えば、近隣セル情報受信構成要素４１２は、（例えば、１または複数の信号を受信することに少なくとも部分的に基づいて）近隣セルを検出することと、近隣セルを（例えば、セルの格納された履歴に少なくとも部分的に基づいて）以前に訪問したセルとして識別すること等を行いうる。この例において、支援情報決定構成要素４１０は、以前に訪問したセルの支援情報（例えば、支援情報決定構成要素４１０が、以前に訪問したセルと通信している場合に格納した）を取得しうる。さらに、例えば、位置測定構成要素４１４は、デバイス４０４の位置を決定する支援情報を利用しうる。別の例では、近隣セル情報プロビジョニング構成要素４０８は、例えば、１または複数の近隣セルの識別情報、１または複数の近隣セルに関連する支援情報等のような、１または複数の近隣セルに関連する情報をデバイス４０４へ送信しうる。したがって、支援情報決定構成要素４１０は、１または複数の近隣セルに関連する支援情報を、サービス提供ＨｅＮＢ４０２から受信しうる。近隣セル情報決定構成要素４１２は、１または複数の近隣セルの識別子を取得しうるか、あるいは、ＨｅＮＢ４０２から受信した支援情報に関連する近隣セルを識別しうる。この点に関し、位置測定構成要素４１４は、受信した支援情報に少なくとも部分的に基づいて、デバイス４０４の位置を決定し、１または複数の近隣セルを特定する等を行う。
【００５２】
図５−８に示すように、無線ネットワークにおいて位置決めを提供することに関連する方法の例が例示される。説明を単純にする目的で、これら方法は、一連の動作として示され説明されているが、これら方法は、１または複数の実施形態にしたがって、いくつかの動作が本明細書で示され記載されたものとは異なる順序で、あるいは他の動作と同時に生じうるので、動作の順序によって限定されないことが理解され認識されるべきである。例えば、方法は代わりに、例えば状態図におけるように、一連の相互関連する状態またはイベントとして表されうることが認識されるべきである。さらに、１または複数の実施形態にしたがって方法を実現するために、必ずしも例示されたすべての動作が必要とされる訳ではない。
【００５３】
図５を参照して、受信した位置測定値に少なくとも部分的に基づいて位置を決定することを容易にする方法５００の例が示される。５０２では、ＨｅＮＢが通信する無線ネットワークにおける１または複数のデバイスによって測定された１または複数の位置測定値が受信されうる。記載されるように、１または複数の位置測定値は、１または複数のサービス提供されているデバイス、共に配置されたＮＬＭ等によって測定されうる。例えば、１または複数のデバイスが、サービス提供されているデバイスである場合、１または複数の位置測定値はまた、１または複数のデバイスによって受信された支援情報を含みうる。あるいは、および／または、１または複数のデバイスが、共に配置されたＮＬＭである場合、支援情報は、位置決めサーバを用いて、バックホール・リンクを介して受信されうる。１または複数の測定値は、例えば、信号強度、ＳＮＲ、または、基地局の類似の測定値を含み、支援情報は、基地局の位置を含みうる。別の例では、１または複数の測定値は、デバイスへの経路喪失を含み、支援情報は、デバイスの計算された位置を含みうる。５０４では、位置測定値に少なくとも部分的に基づいて、ＨｅＮＢの位置が決定されうる。例えば、これは、１または複数の位置パラメータおよび／または支援情報に少なくとも部分的に基づいて、Ａ−ＧＰＳ、ＯＴＤＯＡ、Ｅ−ＣＩＤ、および／または、類似の位置決め技術を用いて決定されうる。さらに、例では、１または複数のサービス提供されているデバイスによるその後の位置決めを容易にするために、位置が、位置決めサーバに登録されうる。
【００５４】
図６に移って、位置決めサーバに登録されていないＨｅＮＢと通信する場合に位置を決定することを容易にする方法６００の例が示される。６０２では、位置決めの際に支援情報を利用するために、サービス提供ＨｅＮＢとは別の基地局が決定されうる。例えば、これは、（例えば、ＨｅＮＢの支援情報を要求する場合、これを示すインジケーションを受信することに少なくとも部分的に基づいて）サービス提供ＨｅＮＢが位置決めサーバに登録されていないと決定することを含みうる。したがって、６０２では、別の基地局は、別の基地局から信号を受信すること、以前に訪問した基地局を判定すること、別の基地局に関連するパラメータをＨｅＮＢから受信すること等に少なくとも部分的に基づいて判定されうる。何れの場合であれ、６０４では、別の基地局に関連する支援情報が、サービス提供ＨｅＮＢまたは位置決めサーバから受信されうる。したがって、位置は、サービス提供ＨｅＮＢとは別の基地局の支援情報に少なくとも部分的に基づいて決定されうる。
【００５５】
図７を参照して、位置決めサーバに位置を登録するための方法７００の例が例示される。７０２では、位置に関連する１または複数のパラメータが受信されうる。例えば、記載されているように、位置を決定すること等に基づいて、１または複数のパラメータが、地理的な関連付けを持つネットワーク構成要素（例えば、ＨｅＭＳ）から、１または複数のデバイスから、設定から受信されうる。さらに、１または複数のパラメータは、例えば、郵便番号、都市、州等のような住所または地理的エリアのような粗い、または、より正確な位置でありうる。別の例では、１または複数のパラメータは、近くのマクロ・セル基地局の識別子でありうる。また別の例では、１または複数のパラメータは、位置決め誤差、送信電力、セル・サイズ、および／または、その他類似のパラメータに関連しうる。何れの場合であれ、７０４では、グローバル・セル識別子と１または複数のパラメータが、バックホール・リンクを介して、位置決めサーバに登録されうる。この点に関して、記載されているように、位置決めサーバは、デバイス位置を決定することを容易にするために、その後のデバイス要求に応じて、１または複数のパラメータを、支援情報として提供しうる。
【００５６】
本明細書に記載された１または複数の態様によれば、記載されるように、ＨｅＮＢの位置を決定すること、位置決めサーバに登録されていないＨｅＮＢと通信している場合に、支援情報を要求するための基地局を決定すること、ＨｅＮＢに関連付けられた位置決め誤差を判定すること等に関連して推論がなされうることが認識されるだろう。本明細書で使用されるように、「推論する」または「推論」なる用語は一般に、イベントおよび／またはデータによって取得されたような観察のセットから、システム、環境、および／または、ユーザの状態の推論あるいはそれらに関連する推理のプロセスを称する。推論は、特定の文脈または動作を識別するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。このような推論によって、イベントが時間的に近接していようといまいと、これらイベントおよびデータが１またはいくつかのイベント・ソースおよびデータ・ソースに由来していようと、観察されたイベントおよび／または格納されたイベント・データのセットから、新たなイベントまたは動作を構築することができる。
【００５７】
図８は、位置決めを容易にするモバイル・デバイス８００の例示である。モバイル・デバイス８００は、例えば（図示しない）受信アンテナから信号を受信し、受信した信号について一般的な動作（例えば、フィルタ、増幅、ダウンコンバート等）を実行し、これら調整された信号をデジタル化してサンプルを得る受信機８０２を備えうる。受信機８０２は、受信したシンボルを復調し、それらをチャネル推定のためにプロセッサ８０６へ提供する復調器８０４を備えうる。プロセッサ８０６は、受信機８０２によって受信された情報を分析すること、および／または、送信機８０８による送信のための情報を生成することに特化されたプロセッサ、モバイル・デバイス８００の１または複数の構成要素を制御するプロセッサ、および／または、受信機８０２によって受信された情報を分析することと、送信機８０８による送信のための情報を生成することと、モバイル・デバイス８００のうちの１または複数の構成要素を制御することとのすべて行うプロセッサでありうる。
【００５８】
モバイル・デバイス８００はさらにメモリ８１０を備えうる。このメモリ８１０は、プロセッサ８０６に動作可能に接続され、送信されるデータ、受信されたデータ、利用可能なチャネルに関連する情報、分析された信号および／または干渉強度に関連付けられたデータ、割り当てられたチャネルや電力やレート等に関連する情報、および、チャネルの推定やチャネルを介した通信のために適切なその他任意の情報を格納しうる。メモリ８１０はさらに、（例えば、パフォーマンス・ベース、容量ベース等での）チャネルの推定および／または利用に関連付けられたアルゴリズムおよび／またはプロトコルを格納しうる。
【００５９】
本明細書に記載されたデータ・ストア（例えば、メモリ８１０）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ（登録商標））のような多くの形態で利用可能である。主題となるシステムおよび方法のメモリ８１０は、限定される訳ではないが、これらおよびその他任意の適切なタイプのメモリを備えることが意図される。
【００６０】
プロセッサ８０６はさらに、オプションとして、支援情報受信構成要素３１６に類似しうる支援情報受信構成要素８１２と、支援情報要求構成要素３１８または支援情報決定構成要素４１０に類似しうる支援情報要求構成要素８１４と、に動作可能に接続されうる。プロセッサ８０６はまた、オプションとして近隣セル受信構成要素４１２に類似しうる近隣セル情報受信構成要素８１６と、位置測定構成要素４１４に類似しうる位置測定構成要素８１８と、に動作可能に接続されうる。モバイル・デバイス８００はさらに、送信機８０８による、例えば基地局、他のモバイル・デバイス等への送信のための信号を変調する変調器８２０を備える。プロセッサ８０６と別に示されているが、支援情報受信構成要素８１２、支援情報要求構成要素８１４、近隣セル情報受信構成要素８１６、位置測定構成要素８１８、復調器８０４、および／または、変調器８２０は、プロセッサ８０６または複数のプロセッサ（図示せず）のうちの一部でありうることが認識されるべきである。
【００６１】
図９は、デバイス位置決めのための支援情報を提供することを容易にするシステム９００の例示である。システム９００は、（例えば、記載されているように、複数のネットワーク技術のものでありうる）複数の受信アンテナ９０６を介して１または複数のモバイル・デバイス９０４から信号（単数または複数）を受信する受信機９１０と、（例えば、記載されているように、複数のネットワーク技術のものでありうる）複数の送信アンテナ９０８を介して１または複数のモバイル・デバイス９０４へ送信する送信機９３０とを有する、実質的に任意の基地局（例えば、フェムト・セル、ピコ・セル、マクロ・セル等、中継ノード、モバイル基地局・・のような小規模の基地局）でありうる基地局９０２を備える。さらに、一例において、送信機９３０は、有線フロント・リンクを介してモバイル・デバイス９０４へ送信しうる。受信機９１０は、１または複数の受信アンテナ９０６から情報を受信する。さらに、受信した情報を復調する復調器９１２と動作可能に関連付けられている。さらに、例において、受信機９１０は、有線バックホール・リンクから受信しうる。復調されたシンボルは、信号（例えば、パイロット）強度および／または干渉強度、モバイル・デバイス９０４（または、（図示しない）別の基地局）との間で送受信されうるデータ、および／または、本明細書に記載されたさまざまな動作および機能を実行することに関連するその他任意の情報を推定することに関連する情報を格納するメモリ９１６に接続され、図８に関連して上述されたプロセッサに類似しうるプロセッサ９１４によって分析されうる。
【００６２】
プロセッサ９１４はさらにオプションとして、ＮＬＭ構成要素２０８および／またはＮＬＭ構成要素３１０に類似しうるＮＬＭ構成要素９１８と、位置測定受信構成要素２１０に類似しうる位置測定受信構成要素９２０と、および／または、位置決定構成要素２１２または位置決定構成要素３１２に類似しうる位置決定構成要素９２２と、に接続される。さらに、プロセッサ９１４はオプションとして、位置登録構成要素２１４または位置登録構成要素３１４に類似しうる位置登録構成要素９２４と、および／または、近隣セル情報プロビジョニング構成要素４０８に類似しうる近隣セル情報プロビジョニング構成要素９２６と、に接続されうる。さらに、例えば、プロセッサ９１４は、送信される信号を、変調器９２８を用いて変調し、変調された信号を、送信機９３０を用いて送信しうる。送信機９３０は、Ｔｘアンテナ９０８を介してモバイル・デバイス９０４へ信号を送信しうる。さらに、プロセッサ９１４と別に示されているが、ＮＬＭ構成要素９１８、位置測定受信構成要素９２０、位置決め構成要素９２２、位置登録構成要素９２４、近隣セル情報プロビジョニング構成要素９２６、復調器９１２、および／または、変調器９２８は、プロセッサ９１４または複数のプロセッサ（図示せず）のうちの一部でありうることが認識されるべきである。
【００６３】
図１０を参照して、受信した位置測定値に基づいて位置を決定するシステム１０００が例示される。例えば、システム１０００は、基地局、モバイル・デバイスなどの中に少なくとも部分的に存在しうる。システム１０００は、プロセッサ、ソフトウェア、またはこれらの組み合わせ（例えば、ファームウェア）によって実現される機能を表す機能ブロックでありうる機能ブロックを含むものとして示されることが認識されるべきである。システム１０００は、連携して動作しうる電子構成要素の論理グループ１００２を含む。例えば、論理グループ１００２は、ＨｅＮＢが通信する無線ネットワークにおける１または複数のデバイスによって測定された１または複数の位置測定値を受信するための電子構成要素１００４を含みうる。記載されているように、１または複数のデバイスは、１または複数のサービス提供されているデバイス、共に配置されたＮＬＭ等でありうる。さらに、１または複数の位置測定値は、１または複数の基地局の支援情報および信号強度、ＧＰＳ位置等に関連しうる。
【００６４】
さらに、論理グループ１００２は、１または複数の位置決めパラメータに少なくとも部分的に基づいて、ＨｅＮＢの位置を決定するための電子構成要素１００６を備えうる。記載されているように、例えば、電子構成要素１００６は、受信した位置測定値等にしたがって、Ａ−ＧＰＳ、ＯＴＤＯＡ、Ｅ−ＣＩＤ等を使用することに少なくとも部分的に基づいて位置を決定しうる。例えば、電子構成要素１００４は、前述したように、位置測定受信構成要素２１０を含みうる。さらに、例えば、電子構成要素１００６は、態様において、前述したように、位置決め構成要素２１２を含みうる。さらに、システム１０００は、電子構成要素１００４，１００６に関連付けられた機能を実行するための命令群を保持するメモリ１００８を含みうる。メモリ１００８の外側にあると示されているが、電子構成要素１００４，１００６のうちの１または複数は、メモリ１００８内に存在しうることが理解されるべきである。
【００６５】
一例において、電子構成要素１００４，１００６は、少なくとも１つのプロセッサを含みうる。または、電子構成要素１００４，１００６のおのおのは、少なくとも１つのプロセッサの対応するモジュールでありうる。さらに、追加のまたは代わりの例において、電子構成要素１００４，１００６は、コンピュータ読取可能な媒体を備えるコンピュータ・プログラム製品でありうる。ここで、おのおのの電子構成要素１００４，１００６は、対応するコードでありうる。
【００６６】
図１１を参照して、支援情報を要求するシステム１１００が例示される。例えば、システム１１００は、基地局、モバイル・デバイス等の中に少なくとも部分的に存在しうる。システム１１００は、プロセッサ、ソフトウェア、またはこれらの組み合わせ（例えば、ファームウェア）によって実現される機能を表す機能ブロックでありうる機能ブロックを含むものとして示されることが認識されるべきである。システム１１００は、連携して動作しうる電子構成要素の論理グループ１１０２を含む。例えば、論理グループ１１０２は、位置決めする際に支援情報を利用するための、サービス提供ＨｅＮＢとは別の基地局を決定するための電子構成要素１１０４を含みうる。記載されるように、例えば、電子構成要素１１０４は、近隣基地局、または、信号が受信された関連するセルを検出すること、以前に訪問した基地局または関連するセルを指定すること、別の基地局に関連する情報をＨｅＮＢから受信すること等に少なくとも部分的に基づいて、この別の基地局を決定しうる。
【００６７】
さらに、論理グループ１１０２は、別の基地局に関連する支援情報を、サービス提供ＨｅＮＢまたは位置決めサーバから受信するための電子構成要素１１０６を備えうる。例えば、態様において、電子構成要素１１０４は、前述したような、近隣セル情報受信構成要素４１２を含みうる。さらに、例えば、電子構成要素１００６は、態様において、前述したように、支援情報決定構成要素４００を含みうる。さらに、システム１１００は、電子構成要素１１０４，１１０６に関連付けられた機能を実行するための命令群を保持するメモリ１１０８を含みうる。メモリ１１０８の外側にあると示されているが、電子構成要素１１０４，１１０６のうちの１または複数は、メモリ１１０８内に存在しうることが理解されるべきである。
【００６８】
一例において、電子構成要素１１０４，１１０６は、少なくとも１つのプロセッサを含みうる。または、電子構成要素１１０４，１１０６のおのおのは、少なくとも１つのプロセッサの対応するモジュールでありうる。さらに、追加のまたは代わりの例において、電子構成要素１１０４，１１０６は、コンピュータ読取可能な媒体を備えるコンピュータ・プログラム製品でありうる。ここで、おのおのの電子構成要素１１０４，１１０６は、対応するコードでありうる。
【００６９】
図１２を参照して、位置決めサーバに登録するシステム１２００が例示されている。例えば、システム１２００は、基地局、モバイル・デバイス等の中に少なくとも部分的に存在しうる。システム１２００は、プロセッサ、ソフトウェア、またはこれらの組み合わせ（例えば、ファームウェア）によって実現される機能を表す機能ブロックでありうる機能ブロックを含むものとして示されることが認識されるべきである。システム１２００は、連携して動作しうる電子構成要素の論理グループ１２０２を含む。例えば、論理グループ１２０２は、位置に関連する１または複数のパラメータを受信するための電子構成要素１２０４を含みうる。記載されているように、１または複数のパラメータは、住所、都市、郵便番号、州、近隣基地局、１または複数のデバイスからの位置測定値等に関連しうる。
【００７０】
さらに、論理グループ１２０２は、グローバル・セル識別子と１または複数のパラメータを、バックホール・リンクを介して、位置決めサーバに登録するための電子構成要素１２０６を備えうる。例えば、態様において、電子構成要素１２０４は、前述したように、位置決め構成要素３１２を含みうる。さらに、例えば、電子構成要素１２０６は、態様において、前述したように、位置登録構成要素３１４を含みうる。さらに、システム１２００は、電子構成要素１２０４，１２０６に関連付けられた機能を実行するための命令群を保持するメモリ１２０８を含みうる。メモリ１２０８の外側にあると示されているが、電子構成要素１２０４，１２０６のうちの１または複数は、メモリ１２０８内に存在しうることが理解されるべきである。
【００７１】
一例において、電子構成要素１２０４，１２０６は、少なくとも１つのプロセッサを含みうる。または、電子構成要素１２０４，１２０６のおのおのは、少なくとも１つのプロセッサの対応するモジュールでありうる。さらに、追加のまたは代替例において、電子構成要素１２０４，１２０６は、コンピュータ読取可能な媒体を備えるコンピュータ・プログラム製品でありうる。ここで、おのおのの電子構成要素１２０４，１２０６は、対応するコードでありうる。
【００７２】
図１３に示すように、本明細書に示されるさまざまな実施形態にしたがって無線通信システム１３００が例示されている。システム１３００は、複数のアンテナ・グループを含みうる基地局１３０２を含む。例えば、１つのアンテナ・グループは、アンテナ１３０４およびアンテナ１３０６を含むことができ、別のグループはアンテナ１３０８およびアンテナ１３１０を備えることができ、さらに別のグループはアンテナ１３１２およびアンテナ１３１４を含むことができる。おのおののアンテナ・グループについて２本のアンテナしか例示されていないが、２本より多いアンテナ、または２本より少ないアンテナも、各グループのために利用されうる。基地局１３０２はさらに、送信機チェーンおよび受信機チェーンを含みうる。これらおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００７３】
基地局１３０２は、例えばモバイル・デバイス１３１６およびモバイル・デバイス１３２２のような１または複数のモバイル・デバイスと通信しうる。しかしながら、基地局１３０２は、モバイル・デバイス１３１６およびモバイル・デバイス１３２２に類似した実質的に任意の数のモバイル・デバイスと通信しうることが理解されるべきである。モバイル・デバイス１３１６，１３２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１３００を介して通信するのに適切なその他任意のデバイスでありうる。図示するように、モバイル・デバイス１３１６は、アンテナ１３１２およびアンテナ１３１４と通信している。ここで、アンテナ１３１２およびアンテナ１３１４は、順方向リンク１３１８によってモバイル・デバイス１３１６へ情報を送信し、逆方向リンク１３２０によってモバイル・デバイス１３１６から情報を受信する。さらに、モバイル・デバイス１３２２はアンテナ１３０４およびアンテナ１３０６と通信している。ここで、アンテナ１３０４およびアンテナ１３０６は、順方向リンク１３２４でアクセス端末１３２２へ情報を送信し、逆方向リンク１３２６でアクセス端末１３２２から情報を受信する。周波数分割デュプレクス（ＦＤＤ）システムでは、例えば、順方向リンク１３１８は、逆方向リンク１３２０によって使用されるものとは異なる周波数帯域を使用し、順方向リンク１３２４は、逆方向リンク１３２６によって使用されるものとは異なる周波数帯域を使用しうる。さらに、時分割デュプレクス（ＴＤＤ）システムでは、順方向リンク１３１８および逆方向リンク１３２０は、共通の周波数帯域を使用し、順方向リンク１３２４および逆方向リンク１３２６は、共通の周波数帯域を使用することができる。
【００７４】
通信するように指定された領域および／またはアンテナのおのおののグループは、基地局１３０２のセクタと称されうる。例えば、基地局１３０２によってカバーされる領域のセクタ内のアクセス端末に通信するように、複数のアンテナが設計されうる。順方向リンク１３１８，１３２４による通信では、基地局１３０２の送信アンテナは、モバイル・デバイス１３１６，１３２２の順方向リンク１３１８，１３２４の信号対雑音比を改善するためにビームフォーミングを利用しうる。また、基地局１３０２が、関連付けられた有効通信範囲にランダムに散在したモバイル・デバイス１３１６，１３２２に送信するためにビームフォーミングを利用している間、近隣セル内のモバイル・デバイスは、すべてのモバイル・デバイスに対して単一のアンテナによって送信している基地局に比べて、少ない干渉しか被らない。さらに、モバイル・デバイス１３１６，１３２２は、図示するように、ピア・トゥ・ピアまたはアド・ホック技術を用いて互いにダイレクトに通信しうる。例によれば、システム１３００は、複数入力複数出力（ＭＩＭＯ）通信システムでありうる。
【００７５】
図１４は、無線通信システム１４００の例を示す。無線通信システム１４００は、簡潔さの目的で、１つの基地局１４１０と１つのモバイル・デバイス１４５０としか示していない。しかしながら、システム１４００は、１より多い基地局、および／または、１より多いモバイル・デバイスを含むことができ、これら追加の基地局および／またはモバイル・デバイスは、以下に説明する基地局１４１０およびモバイル・デバイス１４５０の例と実質的に同じでも、別のものでもありうることが認識されるべきである。それに加えて、基地局１４１０および／またはモバイル・デバイス１４５０は、その間の無線通信を容易にするために、本明細書に記載されたシステム（図１−４、９−１３）、モバイル・デバイス（図８）、および／または方法（図５−７）を適用しうることが認識されるべきである。例えば、本明細書に記載されたシステムおよび／または方法の機能または構成要素は、以下に説明されるようなメモリ１４３３および／またはメモリ１４７２、または、プロセッサ１４３０および／またはプロセッサ１４７０でありうるか、および／または、開示された機能を実行するためにプロセッサ１４３０および／またはプロセッサ１４７０によって実行されうる。
【００７６】
基地局１４１０では、多くのデータ・ストリームのためのトラフィック・データが、データ・ソース１４１２から送信（ＴＸ）データ・プロセッサ１４１４へ提供される。例によれば、おのおののデータ・ストリームが、それぞれのアンテナを介して送信される。ＴＸデータ・プロセッサ１４１４は、トラフィック・データ・ストリームをフォーマットし、このデータ・ストリームのために選択された特定の符号化スキームに基づいて符号化し、インタリーブして、符号化されたデータを提供する。
【００７７】
おのおののデータ・ストリームの符号化されたデータは、直交周波数分割多重（ＯＦＤＭ）技術を用いてパイロット・データと多重化されうる。さらに、あるいは、この代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス１４５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１４３０によって実行または提供される指示によって決定されうる。
【００７８】
データ・ストリームの変調シンボルは、（例えば、ＯＦＤＭのために）変調シンボルを処理するＴＸ  ＭＩＭＯプロセッサ１４２０に提供される。ＴＸ  ＭＩＭＯプロセッサ１４２０は、その後、ＮＴ個の変調シンボル・ストリームを、ＮＴ個の送信機（ＴＭＴＲ）１４２２ａ乃至１４２２ｔへ提供する。さまざまな実施形態において、ＴＸ  ＭＩＭＯプロセッサ１４２０は、データ・ストリームのシンボル、および、そのシンボルが送信されるアンテナへ、ビームフォーミング重みを適用する。
【００７９】
おのおのの送信機１４２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１４２２ａ乃至１４２２ｔからのＮＴ個の変調信号が、ＮＴ個のアンテナ１４２４ａ乃至１４２４ｔそれぞれから送信される。
【００８０】
モバイル・デバイス１４５０では、送信された変調信号は、ＮＲ個のアンテナ１４５２ａ乃至１４５２ｒによって受信され、おのおののアンテナ１４５２から受信した信号は、受信機（ＲＣＶＲ）１４５４ａ乃至１４５４ｒのそれぞれに提供される。おのおのの受信機１４５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００８１】
ＲＸデータ・プロセッサ１４６０は、ＮＲ個の受信機１４５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１４６０は、検出されたおのおののシンボル・ストリームを復調し、デインタリーブし、復号して、そのデータ・ストリームのためのトラフィック・データを復元する。ＲＸデータ・プロセッサ１４６０による処理は、基地局１４１０におけるＴＸ  ＭＩＭＯプロセッサ１４２０およびＴＸデータ・プロセッサ１４１４によって実行されるものと相補的である。
【００８２】
逆方向リンク・メッセージは、通信リンクおよび／または受信されたデータ・ストリームに関するさまざまなタイプの情報を備えうる。逆方向リンク・メッセージは、データ・ソース１４３６からの多くのデータ・ストリームに関するトラフィック・データも受信するＴＸデータ・プロセッサ１４３８によって処理され、変調器１４８０によって変調され、送信機１４５４ａ乃至１４５４ｒによって調整され、基地局１４１０へ送り戻される。
【００８３】
基地局１４１０では、モバイル・デバイス１４５０からの変調信号が、アンテナ１４２４によって受信され、受信機１４２２によって調整され、復調器１４４０によって復調され、ＲＸデータ・プロセッサ１４４２によって処理されることにより、モバイル・デバイス１４５０によって送信された逆方向リンク・メッセージが抽出される。さらに、プロセッサ１４３０は、ビームフォーミング重みを決定するためにどのプリコーディング行列を使用するかを決定するために、この抽出されたメッセージを処理する。
【００８４】
プロセッサ１４３０およびプロセッサ１４７０は、基地局１４１０およびモバイル・デバイス１４５０それぞれにおける動作を指示（例えば、制御、調整、管理等）する。プロセッサ１４３０およびプロセッサ１４７０はそれぞれ、プログラム・コードおよびデータを格納するメモリ１４３２およびメモリ１４７２に関連付けられうる。プロセッサ１４３０およびプロセッサ１４７０はまた、アップリンクおよびダウンリンクそれぞれのための周波数およびインパルス応答推定値を導出する計算をも実行する。
【００８５】
図１５は、多くのユーザをサポートするように構成され、本明細書に記載された教示が実施される無線通信システム１５００を例示する。このシステム１５００は、例えばマクロ・セル１５０２Ａ−１５０２Ｇのような複数のセル１５０２のための通信を提供する。ここで、各セルは、対応するアクセス・ノード１５０４（例えば、アクセス・ノード１５０４Ａ−１５０４Ｇ）によってサービス提供される。図１５に示すように、アクセス端末１５０６（例えば、アクセス端末１５０６Ａ−１５０６Ｌ）は、時間にわたって、システム中のさまざまな位置に分布しうる。アクセス端末１５０６はおのおのの、例えば、アクセス端末１５０６がアクティブであるか、および、ソフト・ハンドオフにあるかに依存して、所与の時間において、順方向リンク（ＦＬ）および／または逆方向リンク（ＲＬ）で、１または複数のアクセス・ノード１５０４と通信しうる。無線通信システム１５００は、広い地理的領域にわたってサービスを提供しうる。
【００８６】
図１６は、１または複数のフェムト・ノードがネットワーク環境内で配置されている典型的な通信システム１６００を例示する。具体的には、システム１６００は、（例えば、１または複数のユーザ住居１６３０内のような）比較的小規模スケールのネットワーク環境に搭載された複数のフェムト・ノード１６１０Ａ，１６１０Ｂ（例えば、フェムト・ノードまたはＨｅＮＢ）を含む。おのおののフェムト・ノード１６１０は、デジタル加入者ライン（ＤＳＬ）ルータ、ケーブル・モデム、無線リンク、またはその他の接続手段（図示せず）を経由して、広域ネットワーク１６４０（例えば、インターネット）およびモバイル・オペレータ・コア・ネットワーク１６５０に接続されうる。以下に説明するように、各フェムト・ノード１６１０は、（例えば、アクセス端末１６２０Ａのような）関連付けられたアクセス端末１６２０と、オプションとして、（例えば、アクセス端末１６２０Ｂのような）外部アクセス端末１６２０にサービス提供するように構成されうる。言い換えれば、フェムト・ノード１６１０へのアクセスが制限され、これによって、所与のアクセス端末１６２０が、指定された（例えば、自宅のような）フェムト・ノード（単数または複数）１６１０のセットによってサービス提供されうるが、指定されていないフェムト・ノード１６１０（例えば、近隣のフェムト・ノード）によってサービス提供されない。
【００８７】
図１７は、おのおのがいくつかのマクロ有効通信範囲エリア１７０４を含むいくつかのトラッキング・エリア１７０２（または、ルーティング・エリアあるいはロケーション・エリア）が定義された有効通信範囲マップ１７００の例を示す。ここでは、トラッキング・エリア１７０２Ａ，１７０２Ｂ，１７０２Ｃに関連付けられた有効通信範囲のエリアが、太線で示され、マクロ有効通信範囲エリア１７０４が、六角形によって示されている。トラッキング・エリア１７０２は、フェムト有効通信範囲エリア１７０６をも含んでいる。この例において、フェムト有効通信範囲領域１７０６（例えば、フェムト有効通信範囲領域１７０６Ｃ）のおのおのは、マクロ有効通信範囲領域１７０４（例えば、マクロ有効通信範囲領域１７０４Ｂ）内に図示される。しかしながら、フェムト有効通信範囲エリア１７０６は、マクロ有効通信範囲エリア１７０４内に全体的に位置していなくても良いことが認識されるべきである。実際、フェムト有効通信範囲領域１７０６の大部分は、トラッキング領域１７０２またはマクロ有効通信範囲領域１７０４内に規定されうる。さらに、１または複数のピコ有効通信範囲領域（図示せず）は、所与のトラッキング領域１７０２またはマクロ有効通信範囲領域１７０４内に規定されうる。
【００８８】
図１６に再び示すように、フェムト・ノード１６１０の所有者は、モバイル・オペレータ・コア・ネットワーク１６５０を通じて提供された、例えば３Ｇモバイル・サービスのようなモバイル・サービスに申し込みうる。さらに、アクセス端末１６２０は、マクロ環境と、（例えば、住居のような）小規模なネットワーク環境との両方において、動作可能でありうる。したがって、例えば、アクセス端末１６２０は、アクセス端末１６２０の現在位置に依存して、アクセス・ノード１６６０によって、または、フェムト・ノード１６１０（例えば、対応するユーザ住居１６３０内に存在するフェムト・ノード１６１０Ａ，１６１０Ｂ）のセットのうちの任意の１つによってサービス提供されうる。例えば、加入者が、自宅外にいる場合、標準的なマクロ・セル・アクセス・ノード（例えば、ノード１８６０）によってサービス提供され、加入者が、自宅内にいる場合、フェムト・ノード（例えば、ノード１６１０Ａ）によってサービス提供される。ここでは、フェムト・ノード１６１０は、既存のアクセス端末１６２０との後方互換性を持ちうることが認識されるべきである。
【００８９】
フェムト・ノード１６１０は、単一の周波数で、代替例では、複数の周波数で展開されうる。特定の構成に依存して、単一の周波数、または、複数の周波数のうちの１または複数が、マクロ・セル・アクセス・ノード（例えば、ノード１６６０）によって使用される１または複数の周波数とオーバラップしうる。いくつかの態様では、アクセス端末１６２０は、（例えば、アクセス端末１６２０のホーム・フェムト・ノードのような）好適なフェムト・ノードとの接続が可能である場合には常に接続するように構成されうる。例えば、アクセス端末１６２０がユーザの自宅１６３０内にある場合は常に、アクセス端末１６２０はホーム・フェムト・ノード１６１０とのみ通信することが望まれうる。
【００９０】
いくつかの態様では、アクセス端末１６２０がモバイル・オペレータ・コア・ネットワーク１６５０内で動作するが、（例えば、好適なローミング・リストで定義されたような）最も好適なネットワークに存在しない場合、アクセス端末１６２０は、より良好なシステムが現在利用可能であるかを判定するために、利用可能なシステムの定期的なスキャンと、好適なシステムと関連付けるためのその後の努力とを含むベター・システム再選択（ＢＳＲ：Better System Reselection）を使用して、最も好適なネットワーク（例えば、好適なフェムト・ノード１６１０）を探索し続けうる。１つの例では、アクセス端末１６２０は、（例えば、好適なローミング・リスト内の）獲得テーブル・エントリを用いて、特定の帯域およびチャネルを求める探索を制限しうる。例えば、最も好適なシステムの探索は、定期的に反復されうる。アクセス端末１６２０は、例えばフェムト・ノード１６１０のような好適なフェムト・ノードを発見すると、有効通信範囲エリア内でキャンプするためのフェムト・ノード１６１０を選択する。
【００９１】
フェムト・ノードは、いくつかの態様において、制限されうる。例えば、所与のフェムト・ノードは、あるアクセス端末に対して一定のサービスしか提供しない。いわゆる制限された（すなわち、クローズされた）関連性を持つ構成では、所与のアクセス端末は、マクロ・セル・モバイル・ネットワーク、および、（例えば、対応するユーザの住居１６３０内に存在するフェムト・セル１６１０のように）定義されたフェムト・ノードのセットによってのみサービス提供されうる。いくつかの実施では、フェムト・ノードは、少なくとも１つのノードのために、シグナリング、データ・アクセス、登録、ページング、またはサービスのうちの少なくとも１つを提供しないように制限されうる。
【００９２】
いくつかの態様では、（クローズド加入者グループＨｅＮＢとも称されうる）制限されたフェムト・ノードは、制限されたアクセス端末のプロビジョンされたセットへサービスを提供するノードである。必要な場合、このセットは、一時的または永続的に拡張されうる。いくつかの態様では、クローズされた加入者グループ（ＣＳＧ）は、アクセス端末の共通のアクセス制御リストを共有するアクセス・ノード（例えば、フェムト・ノード）のセットとして定義されうる。領域内のすべてのフェムト・ノード（または制限されたすべてのフェムト・ノード）が動作するチャネルは、フェムト・チャネルと称されうる。
【００９３】
所与のフェムト・ノードと、所与のアクセス端末との間に、さまざまな関係が存在しうる。例えば、アクセス端末の観点から、オープンなフェムト・ノードは、制限された関連付けを持たないフェムト・ノードと称されうる。制限されたフェムト・ノードは、（例えば、関連付けおよび／または登録について制限されたような）ある方式で制限されたフェムト・ノードを称しうる。ホーム・フェムト・ノードは、アクセス端末がアクセスし動作することが許可されたフェムト・ノードを称しうる。ゲスト・フェムト・ノードは、アクセス端末がアクセスし動作することを一時的に許可されたフェムト・ノードを称しうる。外部フェムト・ノードは、恐らくは緊急事態（例えば、９１１コール）を除いて、アクセス端末がアクセスし動作することを許可されないフェムト・ノードを称しうる。
【００９４】
制限されたフェムト・ノードの観点から、ホーム・アクセス端末は、制限されたフェムト・ノードにアクセスすることが許可されたアクセス端末を称しうる。ゲスト・アクセス端末は、制限されたフェムト・ノードへの一時的なアクセスを持つアクセス端末を称しうる。外部アクセス端末は、恐らくは、例えば９１１コールのような緊急事態を除いて、制限されたフェムト・ノードへアクセスする許可を持たないアクセス端末（例えば、制限されたフェムト・ノードに登録する証明書または許可を持たないアクセス端末）を称しうる。
【００９５】
便宜上、本明細書における開示は、フェムト・ノードのコンテキストで、さまざまな機能を説明している。しかしながら、大規模な有効通信範囲エリアのために、ピコ・ノードが、フェムト・ノードと同じまたは同様の機能を提供しうることが認識されるべきである。例えば、ピコ・ノードが制限され、所与のアクセス端末のためにホーム・ピコ・ノードが定義される等である。
【００９６】
無線多元接続通信システムは、複数の無線アクセス端末のための通信を同時にサポートすることができる。前述したように、おのおのの端末は、順方向リンクおよび逆方向リンクによる送信によって１または複数の基地局と通信しうる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、ＭＩＭＯシステム、あるいは、その他いくつかのタイプのシステムによって確立されうる。
【００９７】
本明細書で開示された実施形態に関連して記述されたさまざまな例示的なロジック、論理ブロック、モジュール、構成要素、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロ・プロセッサを用いることが可能であるが、代わりに、従来技術によるプロセッサ、コントローラ、マイクロ・コントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。それに加えて、少なくとも１つのプロセッサは、上述したステップおよび／または動作のうちの１または複数を実行するように動作可能な１または複数のモジュールを備えうる。典型的な記憶媒体は、プロセッサに結合されており、これによって、プロセッサは、記憶媒体との間で情報を読み書きできるようになる。あるいは、この記憶媒体は、プロセッサに統合されうる。さらに、いくつかの態様では、プロセッサと記憶媒体が、ＡＳＩＣ内に存在しうる。さらに、ＡＳＩＣは、ユーザ端末に存在しうる。あるいは、プロセッサおよび記憶媒体は、ユーザ端末内のディスクリートな構成要素として存在しうる。
【００９８】
１または複数の態様では、説明された機能、方法、またはアルゴリズムが、ハードウェア、ソフトウェア、ファームウェア、またはこれらの任意の組み合わせで実現されうる。ソフトウェアで実現される場合、これら機能は、コンピュータ・プログラム製品に組み込まれうるコンピュータ読取可能な媒体上のコード、または、１または複数の命令群として格納または送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされうる任意の利用可能な媒体でありうる。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。また、実質的に任意の接続が、コンピュータ読取可能な媒体と称されうる。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルーレイ・ディスク（ｄｉｓｃ）を含む。通常、ｄｉｓｋは、データを磁気的に再生し、ｄｉｓｃは、レーザを用いて光学的にデータを再生する。上記の組み合わせもまた、コンピュータ読取可能な媒体の範囲内に含まれるべきである。
【００９９】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、説明された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
【図１】
2013516926.tif 000003
【図２】
2013516926.tif 000004
【図３】
2013516926.tif 000005
【図４】
2013516926.tif 000006
【図５】
2013516926.tif 000007
【図６】
2013516926.tif 000008
【図７】
2013516926.tif 000009
【図８】
2013516926.tif 000010
【図９】
2013516926.tif 000011
【図１０】
2013516926.tif 000012
【図１１】
2013516926.tif 000013
【図１２】
2013516926.tif 000014
【図１３】
2013516926.tif 000015
【図１４】
2013516926.tif 000016
【図１５】
2013516926.tif 000017
【図１６】
2013516926.tif 000018
【図１７】
2013516926.tif 000019
【国際調査報告】
2013516926.tif 000020
2013516926.tif 000021
2013516926.tif 000022
2013516926.tif 000023
2013516926.tif 000024